(57)【要約】      （修正有）【課題】携行式計時器のケース内においていずれの箇所にも任意の向きにも収容することができる計時器用の非近接制御機構を提供する。【解決手段】軸方向及び回転方向に運動可能なメインステム１と、及びメインステム１を非近接制御する制御機構１００とを備えたムーブメント１０００を有する携行式計時器である。制御機構１００は、ユーザーによって操作可能でありプレートのガイド手段によって回転ガイドされる第２のステム２と、第２のステム２と回転が一体的な第２のピニオン６のための軸方向の止め手段と、第２のピニオン６のいずれの回転をもメインステム１に伝達するように第２のピニオン６と噛み合うトランスミッション列７とを有し、さらに、第２のステム２のいずれの軸方向の運動をもメインステム１に伝達するように構成している連接接続８とを有する。【選択図】図１
2018189629.tif 000002
【特許請求の範囲】
【請求項１】
計時器用ムーブメント（１０００）を操作するための軸方向及び回転方向に運動可能なメインステム（１）を非近接制御する計時器用制御機構（１００）であって、
前記制御機構（１００）は、ユーザーによって前記メインステム（１）の運動を制御するように操作されるように構成している第２のステム（２）を有し、
前記制御機構（１００）は、前記ムーブメント（１０００）に固定されるように又は前記ムーブメント（１０００）の構造的要素を形成するように構成しているプレート（３）を有し、
前記プレート（３）は、前記第２のステム（２）の回転をガイドする手段（４）と、及び第２のピニオン（６）のための軸方向の止め手段（５）とを有し、
前記第２のステム（２）は前記第２のピニオン（６）に対して、平行移動が自由であるが回転は一体的であり、
制御機構（１００）は、前記第２のピニオン（６）と噛み合い、かつ、前記第２のピニオン（６）のいずれの回転をも前記メインステム（１）に伝達するように構成しているトランスミッション列（７）と、及び前記第２のステム（２）のいずれの軸方向運動をも前記メインステム（１）に伝達するように構成している連接接続（８）とを有し、
前記連接接続（８）は、第１の端にて、前記プレート（３）の上で回転し第２のレバー（１２）に連接する第１のレバー（１１）を少なくとも有し、
前記第２のレバー（１２）は、前記連接接続（８）の第２の端にて、中間間接（１３）によって又は互いに連接する他のレバーによって、前記プレート（３）上で回転し、
前記第１のレバー（１１）は、前記第１の端にて、前記メインステム（１）と連接しており、
前記第２のレバー（１２）は、前記第２の端にて、前記第２のステム（２）と連接している
ことを特徴とする制御機構（１００）。
【請求項２】
前記第１のレバー（１１）は、前記メインステム（１）とともに第１の引き出し部品を形成し、
前記第２のレバー（１２）は、前記第２のステム（２）とともに第２の引き出し部品を形成する
ことを特徴とする請求項１に記載の制御機構（１００）。
【請求項３】
前記連接接続（８）は、前記中間間接（１３）によって前記第２のレバー（１２）に連接する前記第１のレバー（１１）まで延在している
ことを特徴とする請求項１に記載の制御機構（１００）。
【請求項４】
前記制御機構（１００）は、前記メインステム（１）上の平行移動が自由であるが前記メインステム（１）とともに行われる回転は一体的であるようにマウントされるように構成しているメインピニオン（９）を有し、
前記トランスミッション列（７）は、前記メインピニオン（９）と噛み合っている
ことを特徴とする請求項１に記載の制御機構（１００）。
【請求項５】
前記トランスミッション列（７）は、前記メインピニオン（９）と連係するように構成している第１の中間車（１９）と前記第２のピニオン（６）と連係するように構成している第２の中間車（１６）の間に配置された少なくとも１つの第３の中間車（２０）を有する
ことを特徴とする請求項４に記載の制御機構（１００）。
【請求項６】
前記トランスミッション列（７）は、前記第１の中間車（１９）と前記第２の中間車（１６）の間に配置された前記第３の中間車（２０）を１つのみ有する
ことを特徴とする請求項５に記載の制御機構（１００）。
【請求項７】
前記第３の中間車（２０）は、前記ムーブメント（１０００）のまわりに取り付けられるように構成している環状の車である
ことを特徴とする請求項５に記載の制御機構（１００）。
【請求項８】
前記プレート（３）は、前記ムーブメント（１０００）を収容するように構成しているケースミドル部である
ことを特徴とする請求項１に記載の制御機構（１００）。
【請求項９】
計時器用ムーブメント（１０００）の軸方向及び回転方向に運動可能なメイン作動ステム（１）を非近接制御する計時器用制御機構（１００）であって、
前記制御機構（１００）は、ユーザーによって前記メインステム（１）の運動を制御するように操作されるように構成している第２のステム（２）を有し、
前記制御機構（１００）は、前記ムーブメント（１０００）に固定されるように又は前記ムーブメント（１０００）の構造的要素を形成するように構成しているプレート（３）を有し、
前記プレート（３）は、前記第２のステム（２）の回転をガイドする手段（４）と、及び第２のピニオン（６）のための軸方向の止め手段（５）とを有し、
前記第２のステム（２）は前記第２のピニオン（６）に対して、平行移動が自由であるが回転は一体的であり、
制御機構（１００）は、前記第２のピニオン（６）と噛み合い、かつ、前記第２のピニオン（６）のいずれの回転をも前記メインステム（１）に伝達するように構成しているトランスミッション列（７）と、及び
前記第２のステム（２）のいずれの軸方向運動をも前記メインステム（１）に伝達するように構成している連接接続（８）とを有し、
前記制御機構（１００）は、前記メインステム（１）上の平行移動が自由であるが前記メインステム（１）とともに行われる回転は一体的であるようにマウントされるように構成しているメインピニオン（９）を有し、
前記トランスミッション列（７）は、前記メインピニオン（９）と噛み合い、
前記トランスミッション列（７）は、前記メインピニオン（９）と連係するように構成している第１の中間車（１９）と前記第２のピニオン（６）と連係するように構成している第２の中間車（１６）の間に配置された少なくとも１つの第３の中間車（２０）を有する
ことを特徴とする制御機構（１００）。
【請求項１０】
軸方向及び回転方向に運動可能なメイン作動ステム（１）と、及び
請求項１に記載の制御機構（１００）と
を有する計時器用ムーブメント（１０００）を少なくとも１つ有する
ことを特徴とする携行式計時器（２０００）。
【請求項１１】
前記メインステム（１）は、セッティング用ステム及び／又は巻き用ステムである
ことを特徴とする請求項１０に記載の携行式計時器（２０００）。
【発明の詳細な説明】
【技術分野】
【０００１】
本発明は、計時器用ムーブメントの軸方向及び回転方向に運動可能なメイン操作ステムを非近接制御する計時器用制御機構に関し、前記制御機構は、ユーザーによって前記メインステムの運動を制御するように操作されるように構成している第２のステムを有し、前記制御機構は、前記ムーブメントに固定されるように又は前記ムーブメントの構造的要素を形成するように構成しているプレートを有し、前記プレートは、前記第２のステムの回転をガイドする手段と、及び第２のピニオンのための軸方向の止め手段とを有し、前記第２のステムは前記第２のピニオンに対して、平行移動が自由であるが回転は一体的であり、制御機構は、前記第２のピニオンと噛み合い、かつ、前記第２のピニオンのいずれの回転をも前記メインステムに伝達するように構成しているトランスミッション列と、及び前記第２のステムのいずれの軸方向運動をも前記メインステムに伝達するように構成している連接接続とを有する。
【０００２】
本発明は、さらに、軸方向及び回転方向に運動可能なメイン作動ステムと、及び前記のような制御機構とを有する計時器用ムーブメントを少なくとも１つ有する携行式計時器に関する。
【０００３】
本発明は、計時器用制御機構の分野に関する。
【背景技術】
【０００４】
計時器用ムーブメント、特に、機械式計時器用ムーブメント、の設計においては、このようなムーブメントを他の用途においても使用できることは希である。特に、ムーブメントは、一般的には、携行式計時器や懐中時計向けに作られる。そして、設計された携行式計時器の形態とは異なる形態の携行式計時器にムーブメントを適応させることは難しい。また、航空機のパイロット向けの腕時計などを作るために制御機構の軸どうしの角度的な向きを変えることは面倒である。
【０００５】
複雑機構は、操作対象のメンバーから離れた箇所にて制御することはできず、また、このような複雑機構のハウジングに関連する空間的制約を克服するのはさらに難しい。特に、クロノグラフをアクチュエートしたりセッティングしたり、タイムゾーンを変えたりするための制御、あるいはアラームや打撃機構のための制御機構は、一般的には、これらの機能の支持体のすぐ近くに配置される。携行式計時器のケースの直径、一般的には、寸法構成、を相当に大きくせずに、ボルトのような制御拡張部品を用いることができないことが多い。また、幾何学的な制約によって、歯車列によって接続される並列の制御アーバーを用いることが必要とされることがあり、この場合、位置を大きくシフトさせることができず、ムーブメントの寸法を大きくすることが必ず必要になってしまう。
【発明の概要】
【発明が解決しようとする課題】
【０００６】
本発明は、携行式計時器のケース内において、いずれの箇所にも任意の向きにも収容することができるが必ずしも当該携行式計時器のケースの任意の位置から制御されるように設計されてはいないような、当該携行式計時器のケース内に収容される計時器用ムーブメントを制御する、計時器用の非近接制御機構を実装することを提案するものである。
【課題を解決するための手段】
【０００７】
このために、本発明は、請求項１に記載されている、計時器用ムーブメントの軸方向及び回転方向に運動可能なメイン作動ステムの非近接制御のための計時器用制御機構に関する。また、本発明は、さらに、軸方向及び回転方向に運動可能なメイン作動ステムと、及び前記のような制御機構とを有する計時器用ムーブメントを少なくとも１つ有する携行式計時器に関する。
【０００８】
添付の図面を参照しながら下記の詳細な説明を読むことで、本発明の他の特徴及び利点を理解できるであろう。
【図面の簡単な説明】
【０００９】
【図１】本発明に係る非近接制御機構を装備した計時器用ムーブメントの概略背面図である。これは、図の頂上に示されている１２時の方向に位置している第２のステムを介して図の左側に示されている３時の方向に位置しているメインステムを作動させるように構成している。
【図２】図１のムーブメントを上方から見た概略斜視図である。
【図３】図１のムーブメントを３時の方向の位置から見た概略側面図である。この図において、１２時の方向の位置が図の右側に示されている。
【図４】図１の計時器用ムーブメントを搭載している携行式計時器についての概略正面図である。この図においては、本発明の制御機構に関して部分的に透明となっている。
【図５】図４の携行式計時器についての概略背面図である。この図において、本発明の制御機構に関して部分的に透明となっている。
【図６】図５の携行式計時器において示されているような制御機構の詳細についての概略斜視図である。
【図７】円錐面状の歯付きの中間車セットがないような図１〜６の機構の変種についての図１と同様な背面図である。
【図８】円錐面状の歯付きの中間車セットがないような図１〜６の機構の変種についての図６と同様な詳細斜視図である。
【図９】円錐面状の歯付きの中間車セットがないような図１〜６の機構の変種についての図６と同様な詳細斜視図であり、リングと９０°でカットされた歯が直接噛み合う。
【発明を実施するための形態】
【００１０】
本発明は、計時器用ムーブメント１０００の軸方向及び回転方向に運動可能なメイン作動ステム１を非近接制御するための計時器用制御機構１００に関する。
【００１１】
本発明によると、この制御機構１００は、ユーザーによってメインステム１の運動を制御するように作動するように構成している第２のステム２を有する。
【００１２】
本発明を特定の実施形態に基づいて説明する。なお、これに限定されない。この実施形態においては、３時の方向に巻き用ステムを有する標準的な腕時計用ムーブメントを用いることによって、携行式計時器の巻き竜頭を腕時計において普通である３時の方向の位置から懐中時計において普通である１２時の方向の位置へと変えることが本発明によって可能になる。携行式計時器のケース内に配置された２つのレバーと歯車列群と中間車によって、ケース内における１２時の方向に位置する竜頭によって３時の方向に位置するムーブメントの巻き用ステムをアクチュエートさせることができる。当然、本発明を任意のタイプの制御に対して実装することができる。例えば、クロノグラフ、タイムゾーン、打撃機構などの制御、そして、任意の角度位置のものに対して、実装することができる。
【００１３】
図示した例において、レバーは、竜頭を介してムーブメントの巻き機構又はセッティング機構のいずれかをアクチュエートさせるように引き出し部品をアクチュエートさせることができる。
【００１４】
このようにして、１２時の方向の竜頭を回転させることによって、ギヤと中間車のシステムによって３時の方向のムーブメントステムを回転させることが可能になる。
【００１５】
このために、制御機構１００は、ムーブメント１０００に固定されるように、あるいはプレート、ブリッジなどのようなムーブメント１０００の構造的要素を形成するように、構成しているプレート３を有する。このプレート３は、第２のステム２の回転をガイドする手段４を有する。また、プレート３は、第２のピニオン６のための軸方向の止め手段５を有する。この第２のピニオン６に対して第２のステム２は平行移動が自由であるが回転は一体的である。図６は、ヨークを形成する小さなブリッジの形態であり第２のピニオン６の軸方向の平行移動を防ぐようなこのような軸方向の止め手段５を表している。この第２のピニオン６は、第２のステム２の直方体２２などによって回転駆動される。
【００１６】
制御機構１００は、第２のピニオン６と噛み合うトランスミッション列７を有し、これは、第２のピニオン６のいずれの回転をもメインステム１へと伝達するように構成している。制御機構１００は、さらに、連接接続８を有し、これは、第２のステム２のいずれの軸方向の運動をもメインステム１へと伝達するように構成している。
【００１７】
特に、連接接続８は、第１の端において、プレート３上で第１の軸Ａ１１のまわりを回転する第１のレバー１１を少なくとも有する。連接接続８は、第２の端おいて、同様にプレート３上で第２の軸Ａ１２のまわりを回転する第２のレバー１２を少なくとも有する。第１のレバー１１は、第１の端において、メインステム１と連接する。例として、図示するように、第１のランナー１１０をグリップする第１のフォークと連接する。なお、これに限定されない。また、第２のレバー１２は、第２の端において、第２のステム２、例えば、第２のローラー１２０をつかむ第２のフォーク、と連接する。
【００１８】
この第１のレバー１１は、中間間接１３によって又は互いに連接する他のレバーによって、第２のレバー１２に連接する。
【００１９】
特に、第１のレバー１１は、メインステム１とともに第１の引き出し部品を形成し、第２のレバー１２は、第２のステム２とともに第２の引き出し部品を形成する。
【００２０】
特定の実施形態において、図面に示すように、連接接続８は、中間間接１３によって第２のレバー１２に連接する第１のレバー１１まで延在している。
【００２１】
特に、制御機構１００は、メインステム１上の平行移動が自由であるがメインステム１とともに行われる回転が一体的であるようにマウントされるように構成しているメインピニオン９を有し、トランスミッション列７は、このメインピニオン９と噛み合っている。
【００２２】
運動学的関係に依存して、トランスミッション列７は、メインピニオン９と連係するように構成している第１の中間車１９、及び／又は第２のピニオン６と連係するように構成している第２の中間車１６を有する。特に、トランスミッション列７が前記のような第１の中間車１９と前記のような第２の中間車１６を有する場合、トランスミッション列７は、図示している特定の実施形態において、第１の中間車１９と第２の中間車１６の間に配置された少なくとも１つの第３の中間車２０を有する。特に、トランスミッション列７は、第１の中間車１９と第２の中間車１６の間に配置された第３の中間車２０を１つのみ有する。
【００２３】
特に、この第３の中間車２０は、ムーブメント１０００を包囲するように構成している環状の車である。ここで、このリングの平面は、図示した実施形態の特定の場合に、メインステム１の軸と第２のステム２の軸に平行である。特に、図面の場合におけるように、メインステム１の軸と第２のステム２の軸は共面であるが、本発明の設計によって、他の幾何学的構成も可能になる。
【００２４】
図７〜９は、円錐面状の歯を備えた中間車セットがないような変種を示しており、リングと９０°でカットされた歯が直接噛み合う。
【００２５】
特に、プレート３は、ムーブメント１０００を収容するように構成しているケースミドル部である。
【００２６】
本発明は、さらに、軸方向及び回転方向に運動可能なメイン作動ステム１と、及び前記のような制御機構１００とを有する計時器用ムーブメント１０００を少なくとも１つ有する携行式計時器２０００に関する。
【００２７】
特に、この携行式計時器２０００は懐中時計であり、ムーブメント１０００は腕時計用ムーブメントである。
【００２８】
特定のアプリケーションにおいて、メインステム１は、セッティング用ステム及び／又は巻き用ステムである。
【００２９】
したがって、本発明によって、携行式計時器のケース内において制御機構を別の位置にシフトさせることが可能になる。このことは、特に、少しだけ改変することで同じムーブメントを腕時計と懐中時計のために用いることができ、また、携行式計時器のケース内において複雑機構によって占められていない箇所に制御機構を収容してケース内にて利用可能な空間を最適化することができることを意味している。
【００３０】
また、本発明によって、単に制御される機能の場所によって位置が決まるのではないようなエルゴノミックな制御機構が可能になり、特に、国に応じて人口の約５％〜１５％を占める左利きのユーザーのための携行式計時器を作ることが可能になる。特に、図示した機構は、以下の組み立て順序で組み立てられる：
−  ケーシングリングにおけるランナーとポストの事前組み立てを行う。
−  ミニッツリピーター制御の角度位置に特に注意を払って、ケーシングリングに対してムーブメントを（ゴングやステムのない付加的なプレートとともに）組み立てる。
−  歯付きリングを取り付ける。
−  リングを保持する３つの小さなバーを組み立てる。
−  引き出し部品のレバーのための支持バーを組み立てる。
−  ステムをムーブメント内に挿入する。
−  ムーブメントステムに接続された第２の引き出し部品のレバーを組み立てる。
−  ムーブメントステムの直方体上にて巻きピニオンを摺動させて平行移動させる。
−  ステムをケーシングリング上にガイドしつつ、巻きピニオンを保持するバーの側方組み立てを行う。
−  前記バー上で巻きピニオンを保持するフォーク形のバーの垂直方向組み立てを行う。
−  ケースミドル部のステムをケーシングリング上に保持するバーを組み立てる。
−  このようにして形成されたアセンブリー全体をケースミドル部上にマウントする。
−  ケースミドル部のステムを保持するバーのハウジング内に第２の巻きピニオンを配置する。
−  直方体内への巻きピニオンの挿入に特に注意しながら、外部からケースミドル部のステム（竜頭とともにあらかじめ組み立てることができる）を摺動させて平行移動させる。したがって、ガスケットはステムのねじ山によって引っ掻かれない。
−  ケースミドル部のステムに接続された第１の引き出し部品のレバーを組み立て、ムーブメントステムを保持する。
−  ゴングを組み立てる。
−  裏蓋と風防を組み立てる。
【符号の説明】
【００３１】
１  メインステム
２  第２のステム
３  プレート
４  回転をガイドする手段
５  軸方向の止め手段
６  第２のピニオン
７  トランスミッション列
８  連接接続
９  メインピニオン
１１  第１のレバー
１２  第２のレバー
１３  中間間接
１６  第２の中間車
１９  第１の中間車
２０  第３の中間車
１００  制御機構
１０００  ムーブメント
２０００  携行式計時器
【図１】
2018189629.tif 000003
【図２】
2018189629.tif 000004
【図３】
2018189629.tif 000005
【図４】
2018189629.tif 000006
【図５】
2018189629.tif 000007
【図６】
2018189629.tif 000008
【図７】
2018189629.tif 000009
【図８】
2018189629.tif 000010
【図９】
2018189629.tif 000011